(57)【要約】【課題】  湯水の噴霧を終了させる操作に連動して強制的に換気扇を駆動させて浴室内を乾燥させる浴室乾燥機では、本来浴室内を乾燥させる必要がない場合であっても、浴室内を乾燥してしまい、エネルギーコストの増大を招くという問題があった。【解決手段】  浴室乾燥モード開始信号を受信したときからあらかじめ定められた第一の所定時間遡った期間内において、ミストサウナモードが実行された時間が第二の所定時間未満であることを記憶手段が記憶している場合には、乾燥手段をあらかじめ定められた時間動作させる第一浴室乾燥制御を実行し、浴室乾燥モード開始信号を受信したときからあらかじめ定められた第一の所定時間遡った期間内において、ミストサウナモードが実行された時間が第二の所定時間未満でないことを記憶手段が記憶している場合には、乾燥手段を第一浴室乾燥制御よりも長い時間動作させる第二浴室乾燥制御を実行する。【選択図】      図１４
2009014255.tif 000002
【特許請求の範囲】
【請求項１】
浴室内に湯水を噴霧して多湿空間とするミスト機能付き浴室乾燥機において、
前記浴室内に湯水を噴霧する噴霧手段と、
前記浴室内を乾燥させる乾燥手段と、
前記噴霧手段および前記乾燥手段を制御する制御手段と、を備え、
前記制御手段は、
前記噴霧手段を動作させ、前記浴室内を多湿空間とするミストサウナモードと、
前記乾燥手段を動作させる浴室乾燥モードと、を有し、
前記ミストサウナモードおよび前記浴室乾燥モードを含む複数の運転モードの中から特定の運転モードが選択可能な運転モード選択手段と、
前記ミストサウナモードが実行された履歴を記憶する記憶手段と、を備え、
前記制御手段は、前記浴室乾燥モードが選択された際に、該運転モード選択手段から送信される浴室乾燥モード開始信号を受信したときに、
該浴室乾燥モード開始信号を受信したときからあらかじめ定められた第一の所定時間遡った期間内において、前記ミストサウナモードが実行された時間が第二の所定時間未満であることを前記記憶手段が記憶している場合には、前記乾燥手段をあらかじめ定められた時間動作させる第一浴室乾燥制御を実行し、
前記浴室乾燥モード開始信号を受信したときからあらかじめ定められた前記第一の所定時間遡った期間内において、前記ミストサウナモードが実行された時間が前記第二の所定時間未満でないことを前記記憶手段が記憶している場合には、前記乾燥手段を前記第一浴室乾燥制御よりも長い時間動作させる第二浴室乾燥制御を実行することを特徴とするミスト機能付き浴室乾燥機。
【請求項２】
前記第二浴室乾燥制御は、
前記浴室乾燥モード開始信号を受信したときから遡って直近のミストサウナモードが終了したときから、前記浴室乾燥モード開始信号を受信したときまでの経過時間があらかじめ定められた第三の所定時間未満でないときに実行する通常浴室乾燥制御と、
前記浴室乾燥モード開始信号を受信したときから遡って直近のミストサウナモードが終了したときから、前記浴室乾燥モード開始信号を受信したときまでの経過時間があらかじめ定められた第三の所定時間未満であるときに実行し、前記ミストサウナモード終了後の前記浴室内の余熱も利用して前記浴室内を乾燥させる省エネ浴室乾燥制御と、からなることを特徴とする請求項１記載のミスト機能付き浴室乾燥機。
【請求項３】
前記乾燥手段は、前記浴室内に加熱した空気を供給することにより、前記浴室内を乾燥させるものであり、
前記省エネ浴室乾燥制御は、前記乾燥手段が前記浴室内に供給する空気に加える熱量が、前記通常浴室乾燥制御と比較して小さくなるように制御するものであることを特徴とする請求項２記載のミスト機能付き浴室乾燥機。
【請求項４】
前記乾燥手段は、前記浴室内の空気を排出し、前記浴室内を換気することで乾燥させるものであり、
前記省エネ浴室乾燥制御は、前記乾燥手段が排出する空気の排出速度が、前記通常浴室乾燥制御と比較して小さくなるように制御するものであることを特徴とする請求項２記載のミスト機能付き浴室乾燥機。
【請求項５】
前記浴室内の温度を検知する温度検知手段を、さらに備え、
前記制御手段は、前記省エネ浴室乾燥制御を実行している場合において、前記温度検知手段により検知された前記浴室内の温度があらかじめ定められた所定温度未満になったときに、前記省エネ浴室乾燥制御から前記浴室乾燥制御に移行し、前記乾燥手段が排出する空気の排出速度が大きくなるように制御することを特徴する請求項４記載のミスト機能付き浴室乾燥機。
【発明の詳細な説明】
【技術分野】
【０００１】
本発明は、ミスト機能付き浴室乾燥機に関するものであり、詳しくは、浴室内に湯水を噴霧して多湿空間とするミスト機能付き浴室乾燥機に関するものである。
【背景技術】
【０００２】
従来のミスト機能付き浴室乾燥機として、開閉口を締め切ることにより噴霧した湯水が外部に漏れにくい構造を持つ浴室と、該浴室に設けて該浴室内の空気及び噴霧した湯水を排出する換気扇と、浴室内にあって湯水を噴霧する湯水噴出装置と、該湯水噴出装置が備える湯水の噴霧を制御する制御部と、該制御部を介して湯水噴出装置を操作する操作部と、を有した噴霧式ミストサウナシステムにおいて、制御部は操作部よりの湯水の噴霧を終了する操作に連動して換気扇を強制的に第１の所定時間駆動し、浴室内を乾燥させ、浴室内にカビなどが発生しないようにするものが知られている（たとえば、特許文献１）。
【０００３】
【特許文献１】特開２００２−１２６０３３号公報
【発明の開示】
【発明が解決しようとする課題】
【０００４】
しかしながら、従来のミスト機能付き浴室乾燥機のように、湯水の噴霧を終了させる操作に連動して強制的に換気扇を駆動させて浴室内を乾燥させる場合には、たとえば、複数の使用者が短時間で入れ替わって使用するときなどのように本来浴室内を乾燥させる必要がない場合であっても、浴室内を乾燥してしまい、エネルギーコストの増大を招くという問題があった。すなわち、後の使用者が使用する際に再度浴室内に湯水を噴霧して多湿空間とする必要があるため、直前に行った乾燥が無駄になってしまうので、エネルギーコストの増大を招く。
【０００５】
一方、浴室内の乾燥の開始タイミングを使用者の任意で決めることができるようにすれば、上述した問題が解決できるようにも思えるが、その場合でも、使用者により行われる浴室内の乾燥の開始タイミングがまちまちとなり、浴室内の乾燥開始時の浴室内の状態（浴室内の湯水量）にバラつきが生じる。すなわち、浴室内の乾燥が開始される際の浴室内に残存している湯水の量は、ミストサウナモードが終了してからどれぐらい時間が経過しているかによっても異なる。つまり、ミストサウナモードが終了した直後は浴室内に多量の湯水が残存しているが、ミストサウナモードが終了してから時間が経過するにつれて、浴室内に残存している湯水も蒸発し、浴室内の湯水量が徐々に減少する。このように、浴室内の乾燥の開始タイミングを使用者が任意で決めて、同じ乾燥工程で浴室内を乾燥させると、ときには、浴室内の乾燥が不十分になったり、またときには、その逆に浴室内の乾燥が過剰になってしまいエネルギーコストの増大を招くといった問題が生じる。
【０００６】
そこで、本発明は、浴室内を確実に乾燥させるとともに、浴室内の乾燥に用いるトータル的なエネルギーを低減させ、省エネルギー・低コストを可能にしたミスト機能付き浴室乾燥機を提供することを目的とする。
【課題を解決するための手段】
【０００７】
本発明のうち第１の態様に係るものは、浴室内に湯水を噴霧する噴霧手段と、浴室内を乾燥させる乾燥手段と、噴霧手段および乾燥手段を制御する制御手段と、を備え、制御手段は、噴霧手段を動作させ、浴室内を多湿空間とするミストサウナモードと、乾燥手段を動作させる浴室乾燥モードと、を有し、ミストサウナモードおよび浴室乾燥モードを含む複数の運転モードの中から特定の運転モードが選択可能な運転モード選択手段と、ミストサウナモードが実行された履歴を記憶する記憶手段と、を備え、制御手段は、浴室乾燥モードが選択された際に、該運転モード選択手段から送信される浴室乾燥モード開始信号を受信したときに、該浴室乾燥モード開始信号を受信したときからあらかじめ定められた第一の所定時間遡った期間内において、ミストサウナモードが実行された時間が第二の所定時間未満であることを記憶手段が記憶している場合には、乾燥手段をあらかじめ定められた時間動作させる第一浴室乾燥制御を実行し、浴室乾燥モード開始信号を受信したときからあらかじめ定められた第一の所定時間遡った期間内において、ミストサウナモードが実行された時間が第二の所定時間未満でないことを記憶手段が記憶している場合には、乾燥手段を第一浴室乾燥制御よりも長い時間動作させる第二浴室乾燥制御を実行することを特徴とする。
【０００８】
浴室内の乾燥を開始する以前にミストサウナモードが実行されていても、そのミストサウナモードの終了から浴室内の乾燥の開始時までに長時間が経過している場合には、浴室内に噴霧された湯水は既に蒸発しており、浴室内を乾燥させるのに要する時間には大きな影響を与えないものと考えられる。また、ミストサウナモードの終了から浴室内の乾燥開始時までに経過した時間が短時間であっても、ミストサウナモードが実行されていた時間が短ければ、浴室内に噴霧された湯水の量が少なく、この場合も浴室内を乾燥させるのに要する時間には大きな影響を与えないものと考えられる。
【０００９】
本発明は、制御手段が浴室乾燥モード開始信号を受信したときに、該浴室乾燥モード開始信号を受信したときからあらかじめ定められた第一の所定時間遡った期間内において、ミストサウナモードが実行されていないか、若しくはミストサウナモードが実行されていても実行された時間が第二の所定時間未満である場合には、そのときに浴室内に残存している湯水の量は多くないと判断して、その浴室内に残存している湯水を乾燥させるのに必要な程度の時間だけ、乾燥手段を動作させる第一浴室乾燥制御を実行する。一方、制御手段が浴室乾燥モード開始信号を受信したときからあらかじめ定められた第一の所定時間遡った期間内において、ミストサウナモードが実行された時間が第二の所定時間未満でない場合には、ミストサウナモードが実行されている間に浴室内に多量の湯水が噴霧されており、浴室内にはまだ多量の湯水が残存していると判断して、その浴室内に残存している湯水を乾燥させるに必要な程度の時間（第一浴室乾燥制御よりも長い時間）乾燥手段を動作させる第二浴室乾燥制御を実行する。つまり、浴室乾燥モードを開始する際に浴室内に残存している湯水の量が多いと判断される場合は、乾燥手段を動作させる時間を長くする。
【００１０】
このように、浴室内に残存している湯水の量を判断し、その湯水の量に応じて乾燥手段を動作させる時間を変えることにより、浴室内を確実に乾燥させることができるとともに、浴室内の乾燥に用いるトータル的なエネルギーを低減させ、省エネルギー・低コストを図ることができる。
【００１１】
本発明のうち第２の態様に係るものは、第１の態様に係るミスト機能付き浴室乾燥機であって、第二浴室乾燥制御は、浴室乾燥モード開始信号を受信したときから遡って直近のミストサウナモードが終了したときから、浴室乾燥モード開始信号を受信したときまでの経過時間があらかじめ定められた第三の所定時間未満でないときに実行する通常浴室乾燥制御と、浴室乾燥モード開始信号を受信したときから遡って直近のミストサウナモードが終了したときから、浴室乾燥モード開始信号を受信したときまでの経過時間があらかじめ定められた第三の所定時間未満であるときに実行し、ミストサウナモード終了後の浴室内の余熱も利用して浴室内を乾燥させる省エネ浴室乾燥制御と、からなることを特徴とする。
【００１２】
ミストサウナモードの実行中は、噴霧された湯水によって浴室内の床や壁が昇温する。したがって、直近のミストサウナモードが終了したときから制御手段が浴室乾燥モード開始信号を受信したときまでに時間があまり経過していない場合は、浴室内の床や壁にミストサウナモードの余熱が十分存在していると考えられ、この余熱は浴室内に残存している湯水の乾燥には好適に作用する。本発明によれば、浴室内に残存している湯水が多いと判断され、第一浴室乾燥制御より長い時間乾燥手段を動作させる第二浴室乾燥制御が実行されるときでも、直近のミストサウナモードが終了したときから、浴室乾燥モード開始信号を受信したときまでの経過時間が第三の所定時間未満である場合は、浴室内の床や壁にミストサウナモードの余熱が十分存在していると判断し、その余熱を積極的に利用して浴室内を乾燥させる省エネ浴室乾燥制御を実行する。これにより、浴室内を省エネルギー・低コストで乾燥させることができる。
【００１３】
本発明のうち第３の態様に係るものは、第２の態様に係るミスト機能付き浴室乾燥機であって、乾燥手段は、浴室内に加熱した空気を供給することにより、浴室内を乾燥させるものであり、省エネ浴室乾燥制御は、乾燥手段が浴室内に供給する空気に加える熱量が、通常浴室乾燥制御と比較して小さくなるように制御するものであることを特徴とする。
【００１４】
直近のミストサウナモードが終了したときから、制御手段が浴室乾燥モード開始信号を受信したときまでに時間があまり経過していない場合は、浴室内の床や壁にミストサウナモードの余熱が十分存在し、この余熱を浴室内の乾燥に利用することができる。したがって本発明によれば、直近のミストサウナモードが終了したときから、浴室乾燥モード開始信号を受信したときまでの経過時間が第三の所定時間未満の場合には、浴室内の余熱を乾燥に利用することができると判断し、そのときに実行する省エネ浴室乾燥制御を、上記経過時間が第三の所定時間未満でない場合に実行する通常浴室乾燥制御と比較して、乾燥手段が浴室内に供給する空気に加える熱量が小さくなるように制御するものとしている。これにより、浴室内の乾燥に用いるエネルギーを低減させ、省エネルギー・低コストを図ることができる。
【００１５】
本発明のうち第４の態様に係るものは、第２の態様に係るミスト機能付き浴室乾燥機であって、乾燥手段は、浴室内の空気を排出し、浴室内を換気することで乾燥させるものであり、省エネ浴室乾燥制御は、乾燥手段が排出する空気の排出速度が、通常浴室乾燥制御と比較して小さくなるように制御するものであることを特徴とする。
【００１６】
直近のミストサウナモードが終了したときから、制御手段が浴室乾燥モード開始信号を受信したときまでに時間があまり経過していない場合は、浴室内の床や壁にミストサウナモードの余熱が十分存在し、この余熱を浴室内の乾燥に利用することができる。したがって本発明によれば、直近のミストサウナモードが終了したときから、浴室乾燥モード開始信号を受信したときまでの経過時間が第三の所定時間未満の場合には、浴室内の余熱を乾燥に利用することができると判断し、そのときに実行する省エネ浴室乾燥制御を、上記経過時間が第三の所定時間未満でない場合に実行する通常浴室乾燥制御と比較して、乾燥手段が排出する空気の排出速度が小さくなるように制御するものとしている。また、浴室内から排出される空気の排出速度を小さくすることで、換気による急激な浴室内の温度低下を防止している。そのため、浴室内の床や壁の急激な放熱による余熱の損失が抑制され、長時間それらの余熱を利用した浴室の乾燥を行うことができる。これにより、浴室内の乾燥に用いるエネルギーを低減させ、省エネルギー・低コストを図ることができる。
【００１７】
本発明のうち第５の態様に係るものは、第４の態様に係るミスト機能付き浴室乾燥機であって、浴室内の温度を検知する温度検知手段を、さらに備え、制御手段は、省エネ浴室乾燥制御を実行している場合において、温度検知手段により検知された浴室内の温度があらかじめ定められた所定温度未満になったときに、省エネ浴室乾燥制御から浴室乾燥制御に移行し、乾燥手段が排出する空気の排出速度が大きくなるように制御することを特徴する。
【００１８】
浴室内の換気が進むにつれ、浴室内の温度が低下し、床や壁の余熱が失われていく。本発明によれば、浴室内の温度を検知する温度検知手段により検知される浴室内の温度があらかじめ定められた所定温度未満になった場合には、浴室内の床や壁の余熱を乾燥にあまり利用できなくなったと判断して、省エネ浴室乾燥制御から通常浴室乾燥制御に移行させて、乾燥手段が排出する空気の排出速度が大きくなるようにしている。つまり、浴室内の床や壁の余熱を乾燥に利用できるときは、乾燥手段が排出する空気の排出速度を小さくし、浴室内の床や壁の余熱が乾燥に利用できなくなれば、乾燥手段が排出する空気の排出速度を大きくし、浴室内を急激に換気することによって浴室内を乾燥させている。これにより、省エネルギー・低コストを図ることができるとともに、浴室内を迅速に乾燥させることができる。
【発明の効果】
【００１９】
以上のように本発明のミスト機能付き浴室乾燥機によれば、浴室内を確実に乾燥させるとともに、浴室内の乾燥に用いるトータル的なエネルギーを低減させ、省エネルギー・低コストを図ることができる。
【発明を実施するための最良の形態】
【００２０】
以下、図面を参照して、本発明の一実施形態におけるミストサウナ機能付き浴室乾燥機について説明する。図１は、本発明の一実施形態におけるミストサウナ機能付き浴室乾燥機の使用形態の一例を示す。
【００２１】
図１に示すように、本実施形態におけるミストサウナ機能付き浴室乾燥機（以下、「浴室乾燥機」という）は、浴室２の天井裏に本体１０が設置され、この本体１０から浴室２内に温水がミスト状に噴霧されるとともに、浴室２内の空気を吸込み温風が浴室２内に供給される。
【００２２】
また、脱衣室３の壁には、運転モード選択手段としての操作パネル５０が取り付けられる。この操作パネル５０が操作されることにより、本体１０が駆動する。この浴室乾燥機１は、後述するように、浴室２内を高温多湿のミストサウナ環境にすること以外に、浴室２内の暖房や、換気なども行うことができる。また、浴室ドア８００には、ガラリ８０１が設けられている。
【００２３】
本体１０には給水管１０１が取り付けられ、この給水菅１０１から本体１０に水が供給される。また、本体１０には排気ダクト２０２が取り付けられ、この排気ダクト２０２から浴室２内の空気を浴室２外に排出することができる。なお、本体１０の構成については、図４を用いて後述する。
【００２４】
図２は、本発明の一実施形態における浴室乾燥機の制御系を示すブロック図である。暖房換気ユニット３０には、暖房ヒータ２０５、ダンパ２０６、ダンパ用モータ２１０、暖房換気ファン２０７、暖房換気ファン用モータ２０８、温度センサ２０９が備えられ、ミスト噴霧ユニット２０には、電磁弁１０３、ポンプ１０４、ポンプ用モータ１０６、温水ヒータ１０５が備えられている。制御手段としての制御ユニット４０には、たとえば、ＣＰＵ３０１やメモリ３０２が備えられている。ＣＰＵ３０１は、たとえば、操作パネル５０、タイマ６０および温度センサ２０９のうちの少なくとも一つから信号を受けた場合、その信号をもとに、暖房換気ファン用モータ２０８、ダンパ用モータ２１０、電磁弁１０３、ポンプ用モータ１０６、暖房ヒータ２０５、および温水ヒータ１０５のうちの少なくとも一つを必要に応じて制御することができる。換言すれば、たとえば、ＣＰＵ３０１は、暖房換気ファン２０７の回転、ダンパ２０６の開閉の度合い、電磁弁１０３の開閉の度合い、ポンプ１０４の加圧量の大小、暖房ヒータ２０５の発熱量、温水ヒータ１０５の発熱量を制御することができる。また、メモリ３０２（記憶手段）は、ミストサウナモードが実行された履歴などを記憶する。
【００２５】
図３は、本発明の一実施形態における操作パネルの一例を示す。操作パネル５０は、浴室乾燥機１のユーザインタフェース（リモートコントローラ）である。操作パネル５０には、ミストサウナモードを含む複数の運転モードにそれぞれ対応した複数の運転モードスイッチが備えられている。たとえば、この操作パネル５０には「暖房」、「換気」、「浴室乾燥」「ミストサウナ」の運転モードにそれぞれ対応した運転モードスイッチ（運転モードボタン）が搭載されている。使用者は、実行したい運転モードに対応した運転モードスイッチを操作することにより、所望の運転モードを浴室乾燥機１に実行させることができる。
【００２６】
使用者により、ある運転モードスイッチが操作され、運転モードスイッチが投入されると、制御ユニット４０（制御装置）に対し、各運転モードの開始信号が出力（送信）される。そして、制御ユニット４０は、暖房換気ファン２０７、ダンパ２０６、電磁弁１０３、ポンプ１０４、暖房ヒータ２０５、温水ヒータ１０５のうちの少なくとも一つを制御し、それにより、投入されたスイッチに対応する運転モードが実行される（図２参照）。
【００２７】
各運転モードスイッチには、標準運転（標準）と連続運転（連続）が準備されている。使用者により、各運転モードスイッチが１度投入されると「標準運転」が設定され、また、使用者により、該運転モードスイッチがさらにもう１度投入されると「連続運転」が設定されるようになっている。すなわち、運転モードスイッチが投入される毎に、標準運転→連続運転→標準運転→連続運転→標準運転のように切り替わる。ここで、標準運転は、運転モードスイッチを１度投入することにより、その選択された運転モードが開始され、そしてあらかじめ設定された標準時間が経過した後に、その運転モードが終了するものである。また、連続運転は、運転モードスイッチを２度投入することにより、使用者が終了スイッチ４０４を投入するまで、その選択された運転モードが継続して実行される。なお、標準運転の標準時間は、浴室の容積や季節、使用者の好みに応じて、各運転モードで個別に設定することができる。
【００２８】
また、操作パネル５０は、液晶表示部４０１を用いて、ミストサウナモードのミスト方向切替、浴室２内の温度設定、標準運転の標準時間設定を行うことができるようになっている。使用者は、指示スイッチ４０２を用いて、この液晶表示部４０１に表示されている「ミスト方向切替」、「温度設定」、「標準時間設定」のいずれかにカーソルを持っていき、その後、それぞれミスト方向を切替、浴室２内の温度を設定、標準運転の標準時間を設定することができる。そして、設定が終了すると確定スイッチ４０３を操作（押圧）することにより、その内容が登録される。なお、終了スイッチ４０４は、浴室乾燥機１の運転を終了するときに用いられるスイッチである。
【００２９】
ここで、図３に示すように、本実施形態における浴室乾燥機１は、運転モードとして「暖房」モードと「換気」モード、「浴室乾燥」モード、および「ミストサウナ」モードとを有している。
【００３０】
以下、図４〜図１１を参照して、本体１０の構造と各運転モードにおける空気および湯水の流れについて説明する。
【００３１】
まず、図４を用いて、本体１０の構造について詳述する。図４は、本発明の一実施形態における本体１０の断面図である。図４に示すように、本体１０は、ミスト噴霧ユニット２０、暖房換気ユニット３０、および制御ユニット４０などで構成されている。なお、本体１０の浴室側の面（下面）には、グリル板３００が取り付けられている。
【００３２】
ミスト噴霧ユニット２０には、給水管１０１、ミストノズル１０２、電磁弁１０３、ポンプ１０４、温水ヒータ１０５、ポンプ用モータ１０６が備えられている。
【００３３】
給水管１０１は、水道などの水供給源から水を供給するための配管であり、この給水管１０１により供給された水は、ミストノズル１０２から浴室２内に噴霧される。
【００３４】
ミストノズル１０２は、浴室２内に湯水をミスト状に噴霧させるためのノズルであり、電磁弁１０３は、ミストノズル１０２への給水量を調節するための弁である。また、ポンプ１０４は、ミストノズル１０２へ供給する水を加圧するためのものである。このポンプ１０４の加圧量を増減することにより、ミストノズル１０２から噴霧される湯水の粒径や流速を変化させることができる。ポンプ１０４の近傍には、ポンプ用モータ１０６が設置され、このポンプ用モータ１０６の回転によりポンプ１０４を駆動させることができる。
【００３５】
温水ヒータ１０５は、噴霧される湯水を加熱するためのヒータである。温水ヒータ１０５は、ポンプ１０４の取り付け位置よりも下流側の給水管１０１に取り付けられている。この温水ヒータ１０５が発熱することにより、温水ヒータ１０５を通る水が温められ、ミストノズル１０２から温水として噴霧させることができる。
【００３６】
暖房換気ユニット３０には、吸込口２０１、排気ダクト２０２、吹出口２０３、暖房ヒータ２０５、ダンパ２０６、ダンパ用モータ２１０（図４略）、暖房換気ファン２０７、暖房換気ファン用モータ２０８、温度センサ２０９が備えられている。
【００３７】
吸込口２０１は、グリル板３００に設けられ、暖房換気ファン２０７が回転することにより、この吸込口２０１から浴室２内の空気が暖房換気ユニット３０に吸い込まれる。ダンパ２０６は、浴室２内から吸い込まれた空気の流れを排気ダクト２０２側と吹出口２０３側に切り換えるために設けられている。このダンパ２０６は、枢軸２０４を軸として回転し、空気の流れを切り換えることができる。すなわち、ダンパ２０６が全開状態（排気ダクト２０２の入口が開いている（換気位置））の場合には、吸い込まれたすべての空気が排気ダクト２０２から浴室２外に排出され（図５参照）、ダンパ２０６が全閉状態（排気ダクト２０２の入口が閉まっている（循環位置））の場合には、吸い込まれたすべての空気がグリル板３００に設けられた吹出口２０３から浴室２内へ吹き出され（図６参照）、また、ダンパ２０６が半開状態（排気ダクト２０２の入口が半分開いている（分流位置））の場合には、吸い込まれた空気の一部が排気ダクト２０２から浴室２外に排出されるとともに、他の一部の空気がグリル板３００に設けられた吹出口２０３から浴室２内へ吹き出される（図７参照）。なお、暖房換気ファン２０７、ダンパ２０６は、それぞれ暖房換気ファン用モータ２０８、ダンパ用モータ２１０（図４略）により駆動される。また、暖房換気ファン用モータ２０８の回転数は、２段階（高回転（回転数大）、低回転（回転数小））で切替可能になっている。
【００３８】
暖房ヒータ２０５は、吹出口２０３の近傍の循環風路に備えられ、浴室２内へ吹き出す空気を加熱するためのヒータである。暖房ヒータ２０５が発熱することにより暖房ヒータ２０５を通る空気が暖められ、その暖められた空気が浴室２内へ吹き出される。なお、暖房ヒータ２０５の出力は、２段階（高出力（出力大）、低出力（出力小））で切替可能になっている。温度センサ２０９は、浴室２内から吸い込まれた空気の温度（浴室２内の空気の温度）を測定するものである。
【００３９】
次に、図８を用いて「暖房」モードの空気および湯水の流れについて説明する。図８は、本発明の一実施形態における「暖房」モードの空気および湯水の流れを説明するための説明図である。
【００４０】
操作パネル５０の「暖房」スイッチが操作（投入）されると、操作パネル５０から制御ユニット４０に「暖房」スイッチの信号が出力（送信）される。そして図８に示すように、暖房換気ユニット３０の暖房換気ファン２０７が回転し、ダンパ２０６が全閉状態（排気ダクト２０２の入口を完全に遮断する状態（循環位置））にされ、また、暖房ヒータ２０５がオン状態とされる。これにより、暖房換気ファン２０７の回転によって吸込口（図示略）から吸い込まれた浴室２内の空気は、全て暖房ヒータ２０５により加熱され、吹出口２０３から浴室２内に吹き出される。なお、「暖房」モードでは、ミスト噴霧ユニット２０の電磁弁１０３を全閉し、ポンプ用モータ（図示略）および温水ヒータ１０５をオフ状態にしている。これにより、「暖房」モードでは、ミスト噴霧ユニット２０に水が供給されずミストノズル１０２から湯水が噴霧されない。このように、「暖房」モードでは、暖房換気ユニット３０に吸い込まれた浴室２内の空気が暖房ヒータ２０５で加熱され、浴室２内に排気・循環されることにより、浴室２内の温度を上昇させることができる。
【００４１】
次に、図９を用いて「換気」モードの空気および湯水の流れについて説明する。図９は、本発明の一実施形態における「換気」モードの空気および湯水の流れを説明するための説明図である。
【００４２】
操作パネル５０の「換気」スイッチが操作（投入）されると、操作パネル５０から制御ユニット４０に「換気」スイッチの信号が出力（送信）される。そして図９に示すように、暖房換気ユニット３０の暖房換気ファン２０７が回転し、ダンパ２０６が全開状態（排気ダクト２０２の入口を完全に開き、吹出口２０３方向を閉じている状態（換気位置））にされ、暖房ヒータ２０５がオフ状態とされる。これにより、暖房換気ファン２０７の回転によって吸込口（図示略）から吸い込まれた浴室２内の空気は、全て排気ダクト２０２を通って排出される。そして、浴室２内の空気が外部に排出されることにより、浴室２外から新たな空気が浴室ドア８００に設けられたガラリ８０１を経て浴室２内に導入される。なお、「換気」モードでは、ミスト噴霧ユニット２０の電磁弁１０３を全閉し、ポンプ用モータ（図示略）および温水ヒータ１０５をオフ状態にしている。これにより、「換気」モードでは、ミスト噴霧ユニット２０に水が供給されずミストノズル１０２から湯水が噴霧されない。このように、「換気」モードでは、暖房換気ユニット３０に吸い込まれた浴室２内の空気が排気ダクト２０２から排出され、浴室２外の空気と入れ換えられることで、浴室２内を換気することができる。
【００４３】
次に、図１０を用いて「ミストサウナ」モードの空気および湯水の流れについて説明する。図１０は、本発明の一実施形態における「ミストサウナ」モードの空気および湯水の流れを説明するための説明図である。
【００４４】
操作パネル５０の「ミストサウナ」スイッチが操作（投入）されると、操作パネル５０から制御ユニット４０に「ミストサウナ」スイッチの信号が出力（送信）される。そして図１０に示すように、暖房換気ユニット３０の暖房換気ファン２０７が回転し、ダンパ２０６が全閉状態（排気ダクト２０２の入口を完全に遮断する状態（循環位置））にされ、また、暖房ヒータ２０５がオン状態とされる。これにより、暖房換気ファン２０７の回転によって吸込口（図示略）から吸い込まれた浴室２内の空気は、全て暖房ヒータ２０５により加熱され、吹出口２０３から浴室２内に吹き出される。また、操作パネル５０の「ミストサウナ」スイッチが操作（投入）されると、ミスト噴霧ユニット２０の電磁弁１０３が開かれ、ポンプ用モータ（図示略）がオン状態とされてポンプ１０４が駆動する。これにより、ポンプ１０４で加圧された水がミストノズル１０２へ供給される。また、温水ヒータ１０５がオン状態とされ、給水管１０１を通る水が加熱され、ミストノズル１０２から温水が噴霧される。噴霧される湯水の粒径は、ポンプ１０４の加圧量を大きくするほど湯水の粒径が小さくなるよう構成されている。このように、「ミストサウナ」モードでは、暖房換気ユニット３０に吸い込まれた浴室２内の空気が暖房ヒータ２０５で加熱され、浴室２内に排気・循環されるとともに、温水ヒータ１０５で加熱された温水が浴室２内に噴霧されることにより、浴室２内を高温多湿環境とすることができる。
【００４５】
次に、図１１を用いて「浴室乾燥」モードの空気および湯水の流れについて説明する。図１１は、本発明の一実施形態における「浴室乾燥」モードの空気および湯水の流れを説明するための説明図である。
【００４６】
操作パネル５０の「浴室乾燥」スイッチが操作（投入）されると、操作パネル５０から制御ユニット４０に「浴室乾燥」スイッチの信号が出力（送信）される。そして図１１に示すように、暖房換気ユニット３０の暖房換気ファン２０７が回転し、ダンパ２０６が半閉状態（排気ダクト２０２の入口が半分開いている状態（分流位置））にされ、また、暖房ヒータ２０５がオン状態とされる。これにより、暖房換気ファン２０７の回転によって吸込口（図示略）から吸い込まれた浴室２内の空気の一部は排気ダクト２０２を通って排出され、また、他の一部は暖房ヒータ２０５により加熱され、吹出口２０３から浴室２内に吹き出される。なお、「浴室乾燥」モードでは、ミスト噴霧ユニット２０の電磁弁１０３を全閉し、ポンプ用モータ（図示略）および温水ヒータ１０５をオフ状態にしている。これにより、「浴室乾燥」モードでは、ミスト噴霧ユニット２０に水が供給されずミストノズル１０２から湯水が噴霧されない。このように、「浴室乾燥」モードでは、暖房ヒータ２０５で加熱されて浴室２内に供給される空気によって浴室２内の残水の蒸発が促されるとともに、残水が蒸発して発生した水蒸気を含む空気が排気ダクト２０２を通って排出されることで、浴室２内の乾燥が行われる。
【００４７】
次に、図１２と図１３を用いて、浴室乾燥モードの標準運転が実行されるときの実行時間について説明する。図１２および図１３は、本発明の一実施形態における浴室乾燥モードの標準運転が実行されるときの実行時間の説明図である。具体的には、図１２は、「浴室乾燥」スイッチが投入された時刻から遡って３時間以内にミストサウナモードが開始され終了している場合（ケース１）の浴室乾燥モードの実行時間の説明図であり、図１３は、「浴室乾燥」スイッチが投入された時刻から遡って３時間以前にミストサウナモードが開始され、「浴室乾燥」スイッチが投入された時刻から遡って３時間以内にミストサウナモードが終了している場合（ケース２）の浴室乾燥モードの実行時間の説明図である。
【００４８】
図１２に示すケース１では、時刻Ｔ１で操作パネル５０の「ミストサウナ」スイッチが操作（投入）され、制御ユニット４０が操作パネル５０からの「ミストサウナ」スイッチの信号を受信することにより、ミストサウナモードが開始される。そして、時刻Ｔ１から予め設定された標準時間が経過するか、使用者により終了スイッチ４０４が操作（投入）されて、ミストサウナモードの運転が時刻Ｔ２で終了する。その後、時刻Ｔ３で操作パネル５０の「浴室乾燥」スイッチが１度操作（投入）され、制御ユニット４０が操作パネル５０からの「浴室乾燥」スイッチ（標準運転）の信号を受信することにより、浴室乾燥モードの標準運転が開始される。この場合の浴室乾燥モード（標準運転）の実行時間は、「浴室乾燥」スイッチが操作（投入）された時刻Ｔ３から遡って３時間以内で、ミストサウナモードが実行された時間ｔｍに基づいて決定される。具体的には、「浴室乾燥」スイッチが操作（投入）された時刻Ｔ３から遡って３時間以内で、ミストサウナモードが実行された時間ｔｍは、ｔｍ＝Ｔ２−Ｔ１により求められる。そして、図１２に示すように、このミストサウナモードが実行された時間ｔｍが１０分に満たない場合には、浴室乾燥モードがあらかじめ設定された標準時間ｔｄだけ実行される。一方、このミストサウナモードが実行された時間ｔｍが１０分以上であった場合には、大量の湯水が浴室２内に噴霧されて残存しているものと判断し、浴室乾燥モードの実行時間を標準時間ｔｄより長いｔｄ’の時間実行する。なお、詳細は、図１４を用いて後述する。
【００４９】
また同様に、図１３に示すケース２では、「浴室乾燥」スイッチが操作（投入）された時刻Ｔ３から遡って３時間以内で、ミストサウナモードが実行された時間ｔｍは、ｔｍ＝Ｔ２−（Ｔ３−３ｈ）により求められる。そして、図１３に示すように、このミストサウナモードが実行された時間ｔｍが１０分に満たない場合には、浴室乾燥モードがあらかじめ設定された標準時間ｔｄだけ実行される。一方、このミストサウナモードが実行された時間ｔｍが１０分以上であった場合には、大量の湯水が浴室２内に噴霧されて残存しているものと判断し、浴室乾燥モードの実行時間を標準時間ｔｄより長いｔｄ’の時間実行する。
【００５０】
なお、ケース１およびケース２において、時刻Ｔ３から遡って３時間以内で、ミストサウナモードが複数回実行されている場合は、その実行時間の総和をｔｍとする。そして、そのミストサウナモードの実行時間の総和ｔｍが１０分に満たない場合には、浴室乾燥モードがあらかじめ設定された標準時間ｔｄだけ実行し、一方、そのミストサウナモードの実行時間の総和ｔｍが１０分以上であった場合には、大量の湯水が浴室２内に噴霧されて残存しているものと判断し、浴室乾燥モードの実行時間を標準時間ｔｄより長いｔｄ’の時間実行する。また、ケース１およびケース２では、ミストサウナモードの実行時間ｔｍが１０分以上か否かで浴室乾燥モードを実行する時間を切り替えているが、閾値となるこの時間は浴室の容積や季節、湯水の噴霧能力等に基づいて適宜設定することができる。
【００５１】
図１２および図１３は、浴室乾燥モードの標準運転について説明したが、浴室乾燥モードの連続運転が実行される場合は、上述したように、使用者により終了スイッチ４０４が操作（投入）されるまで、継続して浴室乾燥モードの運転が実行される。
【００５２】
次に、図１４を用いて、ミストサウナモードの終了後に浴室乾燥モード（標準運転）が実行される場合について説明する。この場合は、浴室乾燥モード（標準運転）を実行することにより浴室２内を乾燥させることができる。図１４は、ミストサウナモードの終了後に浴室乾燥モード（標準運転）が実行される場合の運転制御の手順を示すフローチャートである。
【００５３】
まず、Ｓ１において、使用者により、時刻Ｔ１で操作パネル５０の「ミストサウナ」スイッチが操作（投入）され、制御ユニット４０が操作パネル５０からの「ミストサウナ」スイッチの信号を受信することにより、ミストサウナモードが開始される。このとき、メモリ３０２（記憶手段）により、ミストサウナモードが実行された履歴として、ミストサウナモードの開始時刻Ｔ１が記憶される。そして、ミストサウナモードが実行され、時刻Ｔ２でミストサウナモードの運転が終了する（Ｓ２）。このとき、メモリ３０２（記憶手段）は、ミストサウナモードが実行された履歴として、ミストサウナモードの終了時刻Ｔ２を記憶する。
【００５４】
次に、Ｓ３において、使用者により、時刻Ｔ３で操作パネル５０の「浴室乾燥」スイッチが１度操作（投入）され、制御ユニット４０が操作パネル５０からの「浴室乾燥」スイッチ（標準運転）の信号を受信することにより、浴室乾燥モード（標準運転）が開始される。このとき、メモリ３０２（記憶手段）により、浴室乾燥モード（標準運転）が実行された履歴として、浴室乾燥モード（標準運転）の開始時刻Ｔ３が記憶される。そして、Ｓ４により、ダンパ２０６が分流位置（排気ダクト２０２の入口が半分開いている（半開状態））に駆動される。これにより、吸込口２０１から吸い込まれた空気の一部が排気ダクト２０２から浴室２外に排出されるとともに、他の一部の空気がグリル板３００に設けられた吹出口２０３から浴室２内へ吹き出されるよう風路を形成する（図７参照）。
【００５５】
次に、Ｓ５において、メモリ３０２に記憶されているミストサウナモードの終了時刻Ｔ２と、浴室乾燥モード（標準運転）の開始時刻Ｔ３を用いて、Ｔ３−Ｔ２が３時間未満か否かが判断される。ここで、Ｔ３−Ｔ２が３時間未満でないと判断（ＮＯ）された場合、換言すれば、浴室乾燥モード（標準運転）の開始時刻Ｔ３から遡って３時間以内に、ミストサウナモードが実行されていないと判断された場合には、そのときに浴室２内に残存している湯水の量が多くないと判断して、Ｓ８に進む。一方、Ｔ３−Ｔ２が３時間未満であると判断（ＹＥＳ）された場合、換言すれば、浴室乾燥モード（標準運転）の開始時刻Ｔ３から遡って３時間以内に、ミストサウナモードが実行されていると判断された場合には、Ｓ６に進み、浴室乾燥モード（標準運転）の開始時刻Ｔ３から遡って３時間以内で、ミストサウナモードが実行された時間ｔｍが計算される（計算方法は、図１２および図１３参照）。
【００５６】
次に、Ｓ７において、浴室乾燥モード（標準運転）の開始時刻Ｔ３から遡って３時間以内で、ミストサウナモードが実行された時間ｔｍが１０分以上か否かが判断される。ここで、ミストサウナモードが実行された時間ｔｍが１０分以上でないと判断（ＮＯ）された場合には、そのときに浴室２内に残存している湯水の量が多くないと判断して、Ｓ８に進む。
【００５７】
そして、Ｓ８により、暖房ヒータ２０５（高出力（出力大））の駆動が開始され、Ｓ９により、暖房換気ファン用モータ２０８（高回転（回転数大））の駆動が開始される。これにより、暖房換気ファン２０７の高速回転によって吸込口２０１から吸い込まれた空気の一部が排気ダクト２０２から浴室２外に排出されるとともに、他の一部の空気は暖房ヒータ２０５により加熱され、グリル板３００に設けられた吹出口２０３から浴室２内へ吹き出される。そして、Ｓ１０により、時刻Ｔ３から標準時間ｔｄが経過したか、換言すれば、浴室乾燥モードが開始されてから標準時間ｔｄが経過したか判断され、経過していないと判断された場合は経過するまで、Ｓ１０の処理が実行される。そして、浴室乾燥モードが開始されてから標準時間ｔｄが経過したと判断（ＹＥＳ）されると終了する。
【００５８】
一方、Ｓ７により、ミストサウナモードが実行された時間ｔｍが１０分以上であると判断（ＹＥＳ）された場合には、ミストサウナモードが実行されている間に浴室２内に多量の湯水が噴霧されており、浴室２内にはまだ多量の湯水が残存していると判断して、Ｓ１１において、浴室乾燥モードの実行時間が標準時間ｔｄより長いｔｄ’の時間（修正時間）に修正される。なお、この浴室乾燥モード（標準運転）の修正時間ｔｄ’については、図１５を用いて後述する。
【００５９】
このように、制御ユニット４０が浴室乾燥モード（標準運転）の開始信号を受信したとき（時刻Ｔ３）から遡って３時間以内において、ミストサウナモードが実行されていないか、若しくはミストサウナモードが実行されていても実行された時間ｔｍが１０分に満たない場合には、そのときに浴室２内に残存している湯水の量は多くないと判断して、その浴室２内に残存している湯水を乾燥させるのに必要な程度の時間（標準時間ｔｄ）だけ、暖房ヒータ２０５および暖房換気ファン２０７を動作させる。一方、制御ユニット４０が浴室乾燥モード（標準運転）の開始信号を受信したとき（時刻Ｔ３）から遡って３時間以内において、ミストサウナモードが実行された時間が１０分以上の場合には、ミストサウナモードが実行されている間に浴室２内に多量の湯水が噴霧されており、浴室２内にはまだ多量の湯水が残存していると判断して、その浴室２内に残存している湯水を乾燥させるに必要な程度の修正時間ｔｄ’（標準時間ｔｄよりも長い時間）、暖房ヒータ２０５および暖房換気ファン２０７を動作させる。つまり、浴室乾燥モードを開始（時刻Ｔ３）する際に、浴室２内に残存している湯水の量が多いと判断される場合は、暖房ヒータ２０５および暖房換気ファン２０７を動作させる時間を長くする。
【００６０】
次に、Ｓ１２において、メモリ３０２に記憶されているミストサウナモードの終了時刻Ｔ２と、浴室乾燥モード（標準運転）の開始時刻Ｔ３を用いて、Ｔ３−Ｔ２が１５分未満か否かが判断される。ここで、Ｔ３−Ｔ２が１５分未満でないと判断（ＮＯ）された場合、換言すれば、ミストサウナモードが終了して１５分以上が経過してから浴室乾燥モード（標準運転）が開始される場合には、浴室２内の床や壁には、乾燥に利用できるほどのミストサウナモードの余熱が存在していないと判断し、この場合は通常浴室乾燥制御を実行する。すなわち、Ｓ８およびＳ９と同様に、Ｓ１６により、暖房ヒータ２０５（高出力（出力大））の駆動が開始され、Ｓ１７により、暖房換気ファン用モータ２０８（高回転（回転数大））の駆動が開始される。そして、Ｓ１５により、時刻Ｔ３から修正時間ｔｄ’が経過したか、換言すれば、浴室乾燥モードが開始されてから修正時間ｔｄ’が経過したか判断され、経過していないと判断（ＮＯ）された場合は経過するまで、Ｓ１５の処理が実行され、修正時間ｔｄ’が経過したと判断（ＹＥＳ）された場合は終了する。
【００６１】
一方、Ｓ１２において、Ｔ３−Ｔ２が１５分未満と判断（ＹＥＳ）された場合、換言すれば、ミストサウナモードが終了してから１５分が経過しないうちに浴室乾燥モード（標準運転）が開始される場合には、浴室２内の床や壁にミストサウナモードの余熱が十分存在していると判断し、その余熱を積極的に利用して、浴室２内を乾燥させる省エネ浴室乾燥制御を実行する。すなわち、Ｓ１３により、暖房ヒータ２０５（低出力（出力小））の駆動が開始され、Ｓ１４により、暖房換気ファン用モータ２０８（低回転（回転数小））の駆動が開始される。このように、省エネ浴室乾燥制御では、浴室２内の床や壁のミストサウナモードの余熱を積極的に利用することにより、暖房ヒータ２０５の出力（熱量）および暖房換気ファン用モータ２０８の回転数を、通常浴室乾燥制御（Ｓ１６、Ｓ１７）と比較して小さくなるように制御し、浴室２内の乾燥に用いるエネルギーを低減させ、省エネルギー・低コストを図っている。そして、Ｓ１５により、時刻Ｔ３から修正時間ｔｄ’が経過したか、換言すれば、浴室乾燥モードが開始されてから修正時間ｔｄ’が経過したか判断され、経過していないと判断（ＮＯ）された場合は経過するまで、Ｓ１５の処理が実行され、修正時間ｔｄ’が経過したと判断（ＹＥＳ）された場合は終了する。
【００６２】
次に、浴室乾燥モードの標準時間ｔｄを修正した修正時間ｔｄ’について説明する。この修正時間ｔｄ’は、図１４の浴室乾燥モード実行時間修正処理（Ｓ１１）で決定される時間である。図１５は、ミストサウナモードが実行された時間ｔｍと修正時間ｔｄ’との関係を説明する図である。
【００６３】
図１５に示すように、浴室乾燥モード（標準運転）を実行した場合の標準時間ｔｄを２時間としている。すなわち、本実施形態では、浴室乾燥モード（標準運転）の開始時刻Ｔ３から遡って３時間以内で、ミストサウナモードが実行された時間ｔｍが１０分以上でない場合は、浴室乾燥モードが２時間実行される。この標準時間ｔｄは、上述した操作リモコン５０により設定することができる（図３参照）。
【００６４】
また、浴室乾燥モード（標準運転）の開始時刻Ｔ３から遡って３時間以内で、ミストサウナモードが実行された時間ｔｍが１０分以上の場合は、この標準時間が修正され、浴室乾燥モードが図１５に示す修正時間実行される。具体的には、浴室乾燥モード（標準運転）の開始時刻Ｔ３から遡って３時間以内で、ミストサウナモードが実行された時間ｔｍが１０分以上２０分未満の場合は、浴室乾燥モードが２．２時間（修正時間ｔｄ’＝標準時間ｔｄ×１．１）実行され、ミストサウナモードが実行された時間ｔｍが２０分以上３０分未満の場合は、浴室乾燥モードが２．６時間（修正時間ｔｄ’＝標準時間ｔｄ×１．３）実行され、ミストサウナモードが実行された時間ｔｍが３０分以上の場合は、浴室乾燥モードが３．０時間（修正時間ｔｄ’＝標準時間ｔｄ×１．５）実行される。このように、修正時間ｔｄ’は、浴室乾燥モード（標準運転）の開始時刻Ｔ３から遡って３時間以内において、ミストサウナモードが実行された時間ｔｍに応じて長くなるように設定されている。
【００６５】
以上はミストサウナモードの終了後に浴室乾燥モード（標準運転）を実行して浴室２内を乾燥させる場合について述べたが、次に、この浴室乾燥モード（標準運転）に代え、ミストサウナモードの終了後に換気モード（標準運転）を実行して浴室２内を乾燥させる場合について説明する。図１６は、ミストサウナモードの終了後に換気モード（標準運転）が実行される場合の運転制御の手順を示すフローチャートである。
【００６６】
まず、Ｓ２１において、使用者により、時刻Ｔ１で操作パネル５０の「ミストサウナ」スイッチが操作（投入）され、制御ユニット４０が操作パネル５０からの「ミストサウナ」スイッチの信号を受信することにより、ミストサウナモードが開始される。このとき、メモリ３０２（記憶手段）により、ミストサウナモードが実行された履歴として、ミストサウナモードの開始時刻Ｔ１が記憶される。そして、ミストサウナモードが実行され、時刻Ｔ２でミストサウナモードの運転が終了する（Ｓ２２）。このとき、メモリ３０２（記憶手段）は、ミストサウナモードが実行された履歴として、ミストサウナモードの終了時刻Ｔ２を記憶する。
【００６７】
次に、Ｓ２３において、使用者により、時刻Ｔ３で操作パネル５０の「換気」スイッチが１度操作（投入）され、制御ユニット４０が操作パネル５０からの「換気」スイッチ（標準運転）の信号を受信することにより、換気モード（標準運転）が開始される。このとき、メモリ３０２（記憶手段）により、換気モード（標準運転）が実行された履歴として、換気モード（標準運転）の開始時刻Ｔ３が記憶される。そして、Ｓ２４により、ダンパ２０６が換気位置（排気ダクト２０２の入口が開いている（全開状態））に駆動される。これにより、吸込口２０１から吸い込まれたすべての空気が排気ダクト２０２から浴室２外に排出されるよう風路が形成される（図５参照）。
【００６８】
次に、Ｓ２５において、メモリ３０２に記憶されているミストサウナモードの終了時刻Ｔ２と、換気モード（標準運転）の開始時刻Ｔ３を用いて、Ｔ３−Ｔ２が３時間未満か否かが判断される。ここで、Ｔ３−Ｔ２が３時間未満でないと判断（ＮＯ）された場合、換言すれば、換気モード（標準運転）の開始時刻Ｔ３から遡って３時間以内に、ミストサウナモードが実行されていないと判断された場合には、そのときに浴室２内に残存している湯水の量が多くないと判断して、Ｓ２８に進む。一方、Ｔ３−Ｔ２が３時間以内であると判断（ＹＥＳ）された場合、換言すれば、換気モード（標準運転）の開始時刻Ｔ３から遡って３時間以内に、ミストサウナモードが実行されていると判断された場合には、Ｓ２６に進み、換気モード（標準運転）の開始時刻Ｔ３から遡って３時間以内で、ミストサウナモードが実行された時間ｔｍが計算される（計算方法は、図１２および図１３参照）。
【００６９】
次に、Ｓ２７において、換気モード（標準運転）の開始時刻Ｔ３から遡って３時間以内で、ミストサウナモードが実行された時間ｔｍが１０分以上か否かが判断される。ここで、ミストサウナモードが実行された時間ｔｍが１０分以上でないと判断（ＮＯ）された場合には、そのときに浴室２内に残存している湯水の量が多くないと判断して、Ｓ２８に進む。
【００７０】
そして、Ｓ２８により、暖房換気ファン用モータ２０８（高回転（回転数大））の駆動が開始される。これにより、暖房換気ファン２０７の高速回転によって吸込口２０１から吸い込まれたすべての空気が排気ダクト２０２から浴室２外に排出される。そして、Ｓ２９により、時刻Ｔ３から換気モード（標準運転）の標準時間ｔｖが経過したか、換言すれば、換気モードが開始されてから標準時間ｔｖが経過したか判断され、経過していないと判断された（ＮＯ）場合は経過するまで、Ｓ２９の処理が実行される。そして、換気モードが開始されてから標準時間ｔｖが経過したと判断（ＹＥＳ）されると終了する。
【００７１】
一方、Ｓ２７により、ミストサウナモードが実行された時間ｔｍが１０分以上であると判断（ＹＥＳ）された場合には、ミストサウナモードが実行されている間に浴室２内に多量の湯水が噴霧されており、浴室２内にはまだ多量の湯水が残存していると判断して、Ｓ３０において、換気モードの実行時間が標準時間ｔｖより長いｔｖ’の時間（修正時間）に修正される。なお、この換気モード（標準運転）の修正時間ｔｖ’については、図１７を用いて後述する。
【００７２】
このように、制御ユニット４０が換気モード（標準運転）の開始信号を受信したとき（時刻Ｔ３）から遡って３時間以内において、ミストサウナモードが実行されていないか、若しくはミストサウナモードが実行されていても実行された時間ｔｍが１０分に満たない場合には、そのときに浴室２内に残存している湯水の量は多くないと判断して、その浴室２内に残存している湯水を乾燥させるのに必要な程度の時間（標準時間ｔｖ）だけ、暖房換気ファン２０７を動作させる。一方、制御ユニット４０が換気モード（標準運転）の開始信号を受信したとき（時刻Ｔ３）から遡って３時間以内において、ミストサウナモードが実行された時間が１０分以上の場合には、ミストサウナモードが実行されている間に浴室２内に多量の湯水が噴霧されており、浴室２内にはまだ多量の湯水が残存していると判断して、その浴室２内に残存している湯水を乾燥させるに必要な程度の修正時間ｔｖ’（標準時間ｔｖよりも長い時間）、暖房換気ファン２０７を動作させる。つまり、換気モードを開始（時刻Ｔ３）する際に、浴室２内に残存している湯水の量が多いと判断される場合は、暖房換気ファン２０７を動作させる時間を長くする。
【００７３】
次に、Ｓ３１において、メモリ３０２に記憶されているミストサウナモードの終了時刻Ｔ２と、換気モード（標準運転）の開始時刻Ｔ３を用いて、Ｔ３−Ｔ２が１５分未満か否かが判断される。ここで、Ｔ３−Ｔ２が１５分未満でないと判断（ＮＯ）された場合、換言すれば、ミストサウナモードが終了してから１５分以上が経過してから換気モード（標準運転）が開始される場合には、浴室２内の床や壁には、乾燥に利用できるほどのミストサウナモードの余熱が存在していないと判断し、この場合は通常換気制御を実行する。すなわち、Ｓ２８と同様に、Ｓ３４により、暖房換気ファン用モータ２０８（高回転（回転数大））の駆動が開始され、Ｓ３５により、フラグＦが「０」（Ｆ＝０）に設定される。
【００７４】
一方、Ｓ３１において、Ｔ３−Ｔ２が１５分未満と判断（ＹＥＳ）された場合、換言すれば、ミストサウナモードが終了してから１５分が経過しないうちに換気モード（標準運転）が開始される場合には、浴室２内の床や壁にミストサウナモードの余熱が十分存在していると判断し、その余熱を積極的に利用して、浴室２内を乾燥させる省エネ浴室乾燥制御を実行する。すなわち、Ｓ３２により、暖房換気ファン用モータ２０８（低回転（回転数小））の駆動が開始され、Ｓ３３により、フラグＦが「１」（Ｆ＝１）に設定される。このように、省エネ浴室乾燥制御では、浴室２内の床や壁のミストサウナモードの余熱を積極的に利用することにより、暖房換気ファン用モータ２０７の回転数を、通常浴室乾燥制御（Ｓ２８）と比較して小さくなるように制御している。これにより、浴室２内の乾燥に用いるエネルギーを低減させ、省エネルギー・低コストを図ることができる。また、浴室２内から排出される空気の排出速度を小さくすることで、換気による急激な浴室２内の温度低下を防止している。そのため、浴室２内の床や壁の急激な放熱が抑制され、長時間それらの余熱を利用した浴室２の乾燥を行うことができる。
【００７５】
次に、Ｓ３６により、時刻Ｔ３から修正時間ｔｖ’が経過したか、換言すれば、換気モードが開始されて修正時間ｔｖ’が経過したか否かが判断される。そして、経過していないと判断された場合はＳ３７に進む。なお、Ｓ３６により、修正時間ｔｖ’が経過したと判断（ＹＥＳ）された場合は終了する。
【００７６】
次に、Ｓ３７において、フラグＦが「１」か否かが判断される。Ｓ３７により、フラグＦが「１」と判断（ＹＥＳ）された場合、すなわち、省エネ浴室乾燥制御が実行されていると判断された場合は、Ｓ３８に進む。なお、Ｓ３７により、フラグＦが「１」でないと判断（ＮＯ）された場合、すなわち、通常浴室乾燥制御が実行されていると判断された場合は、Ｓ３６に進み、再び時刻Ｔ３から修正時間ｔｖ’が経過したか否かが判断される。
【００７７】
Ｓ３８において、浴室２内の温度が３０度未満か否かが判断される。この浴室２内の温度は温度センサ２０９により検知される。そして、Ｓ３８により、浴室２内の温度が３０度未満であると判断（ＹＥＳ）された場合には、Ｓ３９に進み、暖房換気ファン用モータ２０８の回転数が低回転（回転数小）から高回転（回転数大）に変更される。このように、浴室２内の温度が３０度未満であると判断された場合には、浴室２内の床や壁の余熱が浴室２内の乾燥にあまり利用できなくなったと判断して、省エネ浴室乾燥制御から通常浴室乾燥制御に移行させ、浴室２内を急激に換気することで乾燥の迅速化を図る。なお、Ｓ３８により、浴室２内の温度が３０度未満でないと判断（ＮＯ）された場合には、浴室２内の床や壁の余熱がまだ浴室２内の乾燥に利用できると判断して、Ｓ３６に進み、再び時刻Ｔ３から修正時間ｔｖ’が経過したか否かが判断される。
【００７８】
省エネ浴室乾燥制御から通常浴室乾燥制御に移行すると、Ｓ４０により、フラグＦが「１」から「０」に変更される。そして、Ｆ＝０になった後は、Ｓ３６に進み、再び時刻Ｔ３から修正時間ｔｖ’が経過したか否かが判断され、時刻Ｔ３から修正時間ｔｖ’が経過するまで、Ｓ３６→Ｓ３７→Ｓ３６の処理が実行される。
【００７９】
次に、換気モードの標準時間を修正した修正時間について説明する。この修正時間は、図１６の換気モード実行時間修正処理（Ｓ３０）で決定される時間である。図１７は、ミストサウナモードが実行された時間ｔｍと換気モード（標準運転）の修正時間ｔｖ’との関係を説明する図である。
【００８０】
図１７に示すように、換気モード（標準運転）を実行した場合の標準時間ｔｖを３時間としている。すなわち、本実施形態では、換気モード（標準運転）の開始時刻Ｔ３から遡って３時間以内で、ミストサウナモードが実行された時間ｔｍが１０分以上でない場合は、換気モードが３時間実行される。この標準時間ｔｖは、上述した操作リモコン５０により設定することができる（図３参照）。
【００８１】
また、換気モード（標準運転）の開始時刻Ｔ３から遡って３時間以内で、ミストサウナモードが実行された時間ｔｍが１０分以上の場合は、この標準時間が修正され、換気モードが図１７に示す修正時間実行される。具体的には、換気モード（標準運転）の開始時刻Ｔ３から遡って３時間以内で、ミストサウナモードが実行された時間ｔｍが１０分以上２０分未満の場合は、換気モードが３．９時間（修正時間ｔｖ’＝標準時間ｔｖ×１．３）実行され、ミストサウナモードが実行された時間ｔｍが２０分以上３０分未満の場合は、換気モードが４．５時間（修正時間ｔｖ’＝標準時間ｔｖ×１．５）実行され、ミストサウナモードが実行された時間ｔｍが３０分以上の場合は、換気モードが５．１時間（修正時間ｔｖ’＝標準時間ｔｖ×１．７）実行される。このように、修正時間ｔｖ’は、換気モード（標準運転）の開始時刻Ｔ３から遡って３時間以内において、ミストサウナモードが実行された時間ｔｍに応じて長くなるように設定されている。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８３】
【図１】本発明の一実施形態におけるミストサウナ機能付き浴室乾燥機の使用形態の一例を示す。
【図２】本発明の一実施形態における浴室乾燥機の制御系を示すブロック図である。
【図３】本発明の一実施形態における操作パネルの一例を示す。
【図４】本発明の一実施形態における本体の断面図である。
【図５】本発明の一実施形態における本体のダンパの位置（換気位置）を示す図である。
【図６】同本体のダンパの位置（循環位置）を示す図である。
【図７】同本体のダンパの位置（分流位置）を示す図である。
【図８】本発明の一実施形態における「暖房」モードの空気および湯水の流れを説明するための説明図である。
【図９】本発明の一実施形態における「換気」モードの空気および湯水の流れを説明するための説明図である。
【図１０】本発明の一実施形態における「ミストサウナ」モードの空気および湯水の流れを説明するための説明図である。
【図１１】本発明の一実施形態における「浴室乾燥」モードの空気および湯水の流れを説明するための説明図である。
【図１２】本発明の一実施形態における浴室乾燥モードの標準運転が実行されるときの実行時間の説明図である。
【図１３】本発明の一実施形態における浴室乾燥モードの標準運転が実行されるときの実行時間の説明図である。
【図１４】ミストサウナモードの終了後に浴室乾燥モード（標準運転）が実行される場合の運転制御の手順を示すフローチャートである。
【図１５】ミストサウナモードが実行された時間ｔｍと浴室乾燥モード（標準運転）の修正時間ｔｄ’との関係を説明する図である。
【図１６】ミストサウナモードの終了後に換気モード（標準運転）が実行される場合の運転制御の手順を示すフローチャートである。
【図１７】ミストサウナモードが実行された時間ｔｍと換気モード（標準運転）の修正時間ｔｖ’との関係を説明する図である。
【符号の説明】
【００８４】
１  ミストサウナ機能付き浴室乾燥機
２  浴室
１０  本体
２０  ミスト噴霧ユニット
３０  暖房換気ユニット
４０  制御ユニット
５０  操作パネル
６０  タイマ
１０１  給水管
１０２  ミストノズル
１０３  電磁弁
１０４  ポンプ
１０５  温水ヒータ
２０１  吸込口
２０２  排気ダクト
２０３  吹出口
２０５  暖房ヒータ
２０６  ダンパ
２０７  暖房換気ファン
２０９  温度センサ
３００  グリル板
３０２  メモリ
【図１】
2009014255.tif 000003
【図２】
2009014255.tif 000004
【図３】
2009014255.tif 000005
【図４】
2009014255.tif 000006
【図５】
2009014255.tif 000007
【図６】
2009014255.tif 000008
【図７】
2009014255.tif 000009
【図８】
2009014255.tif 000010
【図９】
2009014255.tif 000011
【図１０】
2009014255.tif 000012
【図１１】
2009014255.tif 000013
【図１２】
2009014255.tif 000014
【図１３】
2009014255.tif 000015
【図１４】
2009014255.tif 000016
【図１５】
2009014255.tif 000017
【図１６】
2009014255.tif 000018
【図１７】
2009014255.tif 000019